(57)【要約】【課題】口栓の嵌着力を十分に演出でき、操作性に富む釣竿を提供する。【解決手段】この釣竿は、隣接する部分より一段大径であり且つ軸方向において径の変化のない嵌合雄部１ａを穂先側端部外周面に有する元竿１を有する振出形式の釣竿である。ここに、軸方向一方が開口した蓋付き円筒型のゴム部材であり、開口側の内周面が嵌合雄部１ａに嵌着自在な嵌合雌部である口栓を装着する。【選択図】      図２
2004254651.tif 000002
【特許請求の範囲】
【請求項１】
魚釣りに用いる釣竿であって、
最も手元側に位置する太径の竿体であり、隣接する部分より一段大径であり且つ軸方向において径の変化のない嵌合雄部を穂先側端部外周面に有する元竿と、
前記元竿の穂先側に振出形式に連結される小径竿体と、
軸方向一方が開口した蓋付き円筒型のゴム部材であり、前記開口側の内周面が前記嵌合雄部に嵌着自在な嵌合雌部である口栓と、
を備えた釣竿。
【請求項２】
前記元竿の嵌合雄部は元竿の穂先側端部より軸方向に離れた位置に形成されている、請求項１に記載の釣竿。
【請求項３】
前記元竿の嵌合雄部は、元竿に別途装着される筒状体である、請求項１又は２に記載の釣竿。
【発明の詳細な説明】
【０００１】
【発明の属する技術分野】
本発明は魚釣りに用いる釣竿、特に、振出形式で複数の竿体を連結している振出形式の釣竿に関する。
【０００２】
【従来の技術】
釣竿は、一般に複数の竿体を連結して構成されており、竿体同士の連結手法としては、例えば、振出形式や並継形式といった手法が採用されている。振出形式とは、穂先側に位置する小径の竿体を順次竿元側の太径の竿体に収納できるものである。釣りをおこなう際には、穂先側に各竿体を引き出して竿体同士を連結固定し、釣りを終えると、穂先側の各竿体を最も手元側の竿体内に全て収納する。
【０００３】
このように振出形式の釣竿で、各竿体を最も手元側の竿体（以下、「元竿」という）に収納した際に、収納された竿体が穂先側に飛び出さないように、口栓が利用される。
このような口栓には、元竿の穂先側端部内に口栓自体を挿入する内嵌型と（例えば、特許文献１参照）、元竿の穂先側端部の外周面に口栓を取り付ける（元竿が口栓の内部に挿入される）外嵌型と（例えば、特許文献２参照）がある。
【０００４】
【特許文献１】
特開２００２−１７２１０号公報
【０００５】
【特許文献２】
特開平７−７９６６７号公報
【０００６】
【発明が解決しようとする課題】
このような口栓は、釣竿の収納の度に繰り返し元竿に対して脱着されるものなので、長期にわたって使用していると、口栓と元竿との嵌着部分が摩耗して嵌合力が低下するという問題がある。また、振出形式の釣竿を構成する竿体は、通常先細りテーパが施されており、その外径も内径も穂先側ほど小径化するテーパ面となっている。このため、口栓を元竿に嵌着させても、口栓と元竿とは軸方向に於いて十分な接触面を形成できず、十分な嵌合力を得られない恐れもある。
【０００７】
本発明の課題は、口栓の嵌着力を十分に演出でき、操作性に富む釣竿を提供することにある。
【０００８】
【課題を解決するための手段】
発明１の釣竿は、魚釣りに用いる釣竿であって、最も手元側に位置する太径の竿体であり、隣接する部分より一段大径であり且つ軸方向において径の変化のない嵌合雄部を穂先側端部外周面に有する元竿と、元竿の穂先側に振出形式に連結される小径竿体と、軸方向一方が開口した蓋付き円筒型のゴム部材であり、開口側の内周面が嵌合雄部に嵌着自在な嵌合雌部である口栓とを備える。
【０００９】
この釣竿では、収納時には小径竿体を元竿内に収納した上で、口栓の開口からその内部に元竿の穂先側端部を挿入して嵌着する。この際、元竿の穂先側端部外周面の嵌合雄部が口栓の内周面の嵌合雌部に嵌着する。嵌合雄部は軸方向において径が変化なく、口栓の嵌合雌部は元竿１の嵌合雄部への十分な接触面を得て、挿入程度に関わらず均一な嵌着力を得られる。また、この嵌合雄部は隣接する部分より一段大径であり、嵌合雄部が確実に口栓の嵌合雌部に嵌着する。
【００１０】
発明２の釣竿は、発明１の釣竿であって、元竿の嵌合雄部は元竿の穂先側端部より軸方向に離れた位置に形成されている。
嵌合雄部が元竿の穂先側端部より一定の距離をもって配置されており、元竿を口栓に挿入する際の、口栓に対する元竿のセンタリングが容易である。口栓の元竿への装着が円滑になる。
【００１１】
発明３の釣竿は、発明１又は２の釣竿であって、元竿の嵌合雄部は、元竿に別途装着される筒状体である。
この嵌合雄部は、元竿とは別個に製造され事後的に元竿に装着される。このため、通常の工程で元竿を製造した後に嵌合雄部を元竿に装着可能であり、汎用性が高まる。また、嵌合雄部を交換することもでき、嵌合雄部に破損摩耗などが生じても、対応できる。
【００１２】
【発明の実施の形態】
［第１実施形態］
本発明の第１実施形態について図面を参照しつつ説明する。
本発明の第１実施形態を採用した釣竿は、図１に示すように、元竿１と、元竿１の穂先側に順次振出形式で連結される元上竿２，中竿３，穂先竿４とからなる。もっとも、竿体の本数は例示であり、その数は任意に設定される。これら、元竿１〜穂先竿４は、それぞれ炭素繊維などの強化繊維に合成樹脂を含浸させたプリプレグ素材を焼成してなる先細り筒状体である。振出形式に連結するために、隣接する竿体間において、竿元側に位置する竿体の穂先側端部内周面と、穂先側に位置する竿体の竿元側端部外周面とが相互に嵌着する。また、穂先側に位置する各竿体は竿元側に位置する竿体に順次穂先側から収納される。例えば、元竿１の穂先側端部内周面と元上竿２の竿元側端部外周面とが相互に嵌着する。
【００１３】
元竿１の外周面には、リールを脱着自在に装着するためのリールシート５が配置され、リールシート５の穂先側の周面にはリールからの釣糸を竿体内に導入するための釣糸導入口６が形成される。必要に応じて、釣糸導入口６付近の元竿１の周面には釣糸導入ガイド７が配置される。
図２及び図３に示すように、この元竿１の穂先側の周面には、嵌合雄部１ａが形成されている。この嵌合雄部１ａは、後述の製法の説明で詳しく述べるように、元竿１を構成するプリプレグ素材と一体的に形成された部分である。嵌合雄部１ａは隣接する部分より一段大径であり且つ軸方向において径の変化のない部分（図３：Ｘ部分）である。その軸方向長さは１０〜２０ｍｍ程度であり、隣接する部分に比較して径が１〜２ｍｍ程度大径化している。また、この嵌合雄部１ａは元竿１の穂先側端部より軸方向に於いて一定の距離を隔てて形成されている。元竿１の穂先側端部からの距離は５〜１０ｍｍ程度でたりる。なお、嵌合雄部１ａの軸方向両端は段とするのではなく、隣接する元竿１の周面に連続するなだらかな斜面とするのがよい。
【００１４】
元上竿２〜穂先竿４の筒状の内周面は釣糸Ｌが挿通する釣糸通路である。よって、これらの竿体の内周面には釣糸Ｌとの接触面積を低減するべく、釣糸支持用の突起を軸方向に螺旋状に連続的に形成してもよい。また、穂先竿４の穂先側端部には、トップガイド８が脱着自在に装着されている。これらの元上竿２〜穂先竿４は、収納時には全て元竿１内に収納される（図２参照）。
【００１５】
この釣竿には口栓１０が付属している。口栓１０は、図２及び図３に示すように、軸方向一方が開口した蓋付き円筒型のゴム部材である。開口側の内周面が、上述の嵌合雄部１ａに嵌着するように、その内径が調整されており、この内周面が嵌合雌部である。口栓１０の軸方向長さは、元竿１の穂先側端部から十分に嵌合雄部１ａまでを内包できる長さである。その内径は穂先側ほど小径化するようなテーパ面としてもよいが、嵌合雄部１ａにあわせて軸方向において径の変化しない面としても良い。この内周面には、径方向に間隔を隔てて軸方向に延びる複数のローレット溝を形成してもよい。固着防止のためである。さらに、口栓１０の外周面には商品イメージに合わせて様々な模様塗装などを施しても良い。
【００１６】
このような釣竿の元竿１は、以下のような工程で形成される。
図４（ａ）に示すように、所定の先細りテーパの施された芯材１００にプリプレグシートＰ１を巻回する。プリプレグシートＰ１の巻回に先立って、テープ状に加工したプリプレグテープを螺旋状に隙間なく巻き付けても良い。この際、プリプレグテープでは、その長手方向に（即ち、芯材１００の螺旋方向に）強化繊維が配向されているものを用いる。プリプレグシートでは、芯材１００の軸方向に強化繊維が引き揃えられたものを用いる。
【００１７】
図４（ｂ）に示すように、プリプレグシートＰ１を芯材１００に巻回した後に、穂先側の所定の位置に別途補助プリプレグシートＰ２を部分的に巻回する。補助プリプレグシートＰ２は、プリプレグシートＰ１と同様のものを用いることもできるが、ガラス繊維やポリエステル繊維などの不織布に合成樹脂を含浸させたものを用いても良い。このような種類のプリプレグを用いると、最終的な径調整のための研磨加工も容易である。
【００１８】
その後、芯材１００と共に各プリプレグ素材を焼成し、芯材１００を脱芯し、両端を切りそろえ、周面を研磨加工乃至塗装して元竿１とする。この際、補助プリプレグシートＰ２を巻回した部分は、さらに研磨して、軸方向において径の変化しない一定の径に調整する。
このような釣竿では、収納時には穂先竿４から順次竿体を元竿１内に収納した上で、口栓１０の開口からその内部に元竿１の穂先側端部を挿入して嵌着する（図２参照）。この際、元竿１の穂先側端部外周面の嵌合雄部１ａが口栓１０の内周面の嵌合雌部に嵌着する。嵌合雄部１ａは軸方向において径が変化なく、口栓１０の嵌合雌部は嵌合雄部１ａへの十分な接触面を得て、挿入程度に関わらず均一な嵌着力を得られる。また、この嵌合雄部１ａは隣接する部分より一段大径であり、嵌合雄部１ａが確実に口栓１０の嵌合雌部に嵌着する。
【００１９】
さらに、嵌合雄部１ａが元竿１の穂先側端部より一定の距離をもって配置されており、元竿１を口栓１０に挿入する際には、一端、嵌合雄部１ａより小径の元竿１の穂先側端部が口栓１０に入る。このため、口栓１０に対する元竿１のセンタリングが容易であり、円滑に口栓１０を元竿１に装着できる。
［他の実施形態］
（ａ）上記実施形態の変形例を図５に示す。
【００２０】
この釣竿の元竿１１では、穂先側端部の外周面にパイプ状の嵌合雄部材１１ａが接着剤などで固定されている。嵌合雄部材１１ａはゴム製の部材であり、その外径は軸方向において変化しない一定のものとなっている。ここでは、嵌合雄部材１１ａをゴム製の部材としているが、その他、金属・硬質合成樹脂等を用いて嵌合雄部材を形成してもよい。また、元竿１１の穂先側端部外周面にねじ溝を形成し、嵌合雄部材１１ａを脱着自在に螺着させてもよい。このような元竿１１を含む釣竿でも、口栓２０を上記実施形態と同様に嵌着させることができる。
【００２１】
また、嵌合雄部材１１ａを別途成形するので汎用性も向上する。
（ｂ）なお、上記各実施形態では、振出形式の釣竿において、各種竿体が最も竿元側に位置する元竿内に収納されるタイプの釣竿を例示している。しかし、釣竿の種類においては、元竿の穂先側に位置する元上竿が完全に元竿内に収納されず、元上竿の穂先側の一部が元竿の穂先側より突出したまま収納されるようなものもある。この場合は、口栓は元上竿に装着されることになるので、所定の嵌合雄部は元上竿に形成する。
【００２２】
【発明の効果】
本発明の釣竿は、口栓の嵌着力を十分に演出でき、操作性にも優れる。
【図面の簡単な説明】
【図１】本発明の第１実施形態を採用した釣竿の全体図。
【図２】図１の元竿１の穂先側と口栓１０とを示した図。
【図３】図２の断面図。
【図４】図１の元竿１の製造工程を示した図。
【図５】他の実施形態を示した図。
【符号の説明】
１，１１  元竿
１ａ，１１ａ  嵌合雄部
１０，２０  口栓
【図１】
2004254651.tif 000003
【図２】
2004254651.tif 000004
【図３】
2004254651.tif 000005
【図４】
2004254651.tif 000006
【図５】
2004254651.tif 000007